(57)【要約】【課題】ユーザ（顧客）から配信されたデザインに使用する画像を表示して確認することが可能である。【解決手段】受発注システムは、ネットワーク１と、ネットワーク１に接続され、デザイン決定情報を入力し、デザインに用いる画像を配信してデザイン注文を行なうユーザ端末３と、ネットワーク１に接続され、受発注サーバ２を介してデザイン注文の受付、デザイン注文に基づきデザイン作成作業の発注及び受発注管理を行なうと共に、デザインに用いる画像を表示可能な受発注管理者端末５と、ネットワーク１に接続され、デザイン作成作業の発注に基づきデザイン作成を行なう作業者端末４とを有する。【選択図】図２
2004326389.tif 000002
【特許請求の範囲】
【請求項１】
ネットワークと、
前記ネットワークに接続され、デザイン決定情報を入力し、デザインに用いる画像を配信して前記デザイン注文を行なうユーザ端末と、
前記ネットワークに接続され、受発注サーバを介して前記デザイン注文の受付、前記デザイン注文に基づきデザイン作成作業の発注及び受発注管理を行なうと共に、前記デザインに用いる画像を表示可能な受発注管理者端末と、
前記ネットワークに接続され、前記デザイン作成作業の発注に基づきデザイン作成を行なう作業者端末と、
を有することを特徴とする受発注システム。
【請求項２】
前記受発注管理者端末は、前記デザインに用いる画像をサムネイル画像で一覧表示可能であることを特徴とする請求項１に記載の受発注システム。
【請求項３】
前記受発注管理者端末は、前記デザインに用いる画像をオリジナル画像で表示可能であることを特徴とする請求項１に記載の受発注システム。
【請求項４】
前記受発注管理者端末は、前記デザインに用いる画像と前記デザイン決定情報とを同時に表示可能であることを特徴とする請求項１乃至請求項３のいずれか１項に記載の受発注システム。
【請求項５】
前記受発注管理者端末は、前記デザインに用いる画像の点検が可能であることを特徴とする請求項１乃至請求項４のいずれか１項に記載の受発注システム。
【請求項６】
前記受発注管理者端末は、前記デザインに用いる画像に識別標識を付加可能であることを特徴とする請求項１乃至請求項５のいずれか１項に記載の受発注システム。
【請求項７】
前記受発注管理者端末は、作成したデザインを校正可能であることを特徴とする請求項１乃至請求項６のいずれか１項に記載の受発注システム。
【請求項８】
ユーザ端末からデザイン決定情報を入力し、デザインに用いる画像を配信してデザイン注文を行ない、受発注管理者端末では受発注サーバを介して前記デザイン注文の受付、前記デザイン注文に基づきデザイン作成作業の発注及び受発注管理を行なうと共に、前記デザインに用いる画像を表示可能であり、作業者端末では前記デザイン作成作業の発注に基づきデザイン作成作業を行なうことを特徴とする受発注方法。
【請求項９】
前記デザインに用いる画像をサムネイル画像で一覧表示することを特徴とする請求項８に記載の受発注方法。
【請求項１０】
前記デザインに用いる画像をオリジナル画像で表示することを特徴とする請求項８に記載の受発注方法。
【請求項１１】
前記受発注管理者端末は、前記デザインに用いる画像と前記デザイン決定情報とを同時に表示可能であることを特徴とする請求項８乃至請求項１０のいずれか１項に記載の受発注方法。
【請求項１２】
前記デザインに用いる画像の点検を行なうことを特徴とする請求項８乃至請求項１１のいずれか１項に記載の受発注方法。
【請求項１３】
前記デザインに用いる画像に識別標識を付加することを特徴とする請求項８乃至請求項１２のいずれか１項に記載の受発注方法。
【請求項１４】
前記作成したデザインの校正を行なうことを特徴とする請求項８乃至請求項１３のいずれか１項に記載の受発注方法。
【発明の詳細な説明】
【０００１】
【発明の属する技術分野】
この発明は、例えば写真画像を入れたポストカード等のデザインを作成するサービスをインターネットなどのネットワークを介してユーザ（顧客）に提供する受発注システム及び受発注方法に関する。
【０００２】
【従来の技術】
近年、ユーザ（顧客）は、結婚後の挨拶や年賀の挨拶等を写真画像を入れたポストカードで行なうことが多くなってきている。また、写真画像入りの名刺なども多くなっている。この写真画像入りのポストカードや名刺等の作成注文を、インターネットなど介して行なうネットワークビジネスが提案されている（例えば特許文献１）。
【０００３】
この場合、ポストカードの注文時に、ユーザ（顧客）はポストカードのデザインを例えば規定のレイアウトを選択し、あるいは独自の写真画像の位置や文字情報位置等のレイアウトを決める。文字情報としては、例えば住所、氏名、挨拶文等の文字情報を入力する。写真画像は、一枚の場合、あるいは複数枚と合成する場合等があり、これらの写真画像を送り、そのデザインを指示する。また、写真画像から不要な背景等の削除や赤目修正等の修正の指示を行なう場合がある。
【０００４】
このようなユーザ（顧客）からのデザイン注文に基づき、画像プリントサービスを行う出力センター等では、デザイナー等にデザイン作成作業の発注を行ない、デザイン作成作業が終了すると、ユーザ（顧客）からのデザイン注文と確認してプリントアウトしてユーザ（顧客）へ送るようになっている。
【０００５】
【特許文献１】
特開２００２−１４９７９３号公報（第１〜８頁、図１〜図１０）
【０００６】
【発明が解決しようとする課題】
ところで、画像プリントサービスを行う出力センター等では、ユーザ（顧客）から配信されるデザインに使用する写真画像の状況を事前に見ることができないために、デザイン作成作業の完成までの工数などの適切な判断ができず、ユーザ（顧客）に正確なコストの見積もりを提供することができない場合がある。
【０００７】
また、画像プリントサービスを行う出力センター等では、デザイナー等が作成したデザインの仕上がりがユーザ（顧客）のデザイン注文の希望通りになっているか確認したい場合がある。
【０００８】
また、ユーザ（顧客）から配信されるデザインに使用する写真画像には、画素数が小さくて仕上がり状態をよくできないものや、肖像権等の問題が発生するものや、あるいは公序良俗等で問題が生じるおそれがあるものも含まれていることがある。
【０００９】
この発明は、このような課題に鑑みてなされたのものであって、ユーザ（顧客）から配信されたデザインに使用する画像を表示して確認することが可能な受発注システム及び受発注方法を提供することを目的としている。
【００１０】
【課題を解決するための手段】
前記課題を解決し、かつ目的を達成するために、この発明は、以下のように構成した。
【００１１】
請求項１に記載の発明は、ネットワークと、
前記ネットワークに接続され、デザイン決定情報を入力し、デザインに用いる画像を配信して前記デザイン注文を行なうユーザ端末と、
前記ネットワークに接続され、受発注サーバを介して前記デザイン注文の受付、前記デザイン注文に基づきデザイン作成作業の発注及び受発注管理を行なうと共に、前記デザインに用いる画像を表示可能な受発注管理者端末と、
前記ネットワークに接続され、前記デザイン作成作業の発注に基づきデザイン作成作業を行なう作業者端末と、
を有することを特徴とする受発注システムである。
【００１２】
この請求項１に記載の発明によれば、ユーザ端末からデザイン決定情報を入力し、デザインに用いる画像を配信してデザイン注文を行なうと、受発注管理者端末では受発注サーバを介してデザイン注文の受付、デザイン注文に基づきデザイン作成作業の発注及び受発注管理を行なうと共に、デザインに用いる画像を表示可能であり、このデザインに用いる画像を表示することで、デザイン注文を受けると同時に、デザインに使用する画像の状況を事前に見ることができ、デザイン作成作業の完成までの工数などの適切な判断ができ、ユーザ（顧客）に正確なコストの見積もりを提供することができる。また、デザインに使用する画像と画像加工等のデザイン注文指示とを同時に見ることで、ユーザ（顧客）の希望を掴むことができる。また、デザイナー等が作成したデザインの仕上がりがユーザ（顧客）のデザイン注文の希望通りなっているか確認することもでき、さらにユーザ（顧客）から配信されるデザインに使用する写真画像の状態の点検や肖像権、公序良俗等の問題が生じないように点検することもできる。
【００１３】
請求項２に記載の発明は、前記受発注管理者端末は、前記デザインに用いる画像をサムネイル画像で一覧表示可能であることを特徴とする請求項１に記載の受発注システムである。
【００１４】
この請求項２に記載の発明によれば、デザインに用いる画像をサムネイル画像で一覧表示し、サムネイル画像がインデックスなどに用いられる目的で縮小された画像であり、同時に多数の画像を見て確認することができる。
【００１５】
請求項３に記載の発明は、前記受発注管理者端末は、前記デザインに用いる画像をオリジナル画像で表示可能であることを特徴とする請求項１に記載の受発注システムである。
【００１６】
この請求項３に記載の発明によれば、デザインに用いる画像をオリジナル画像は、画像の画素１ピクセルを、表示装置の画素１ピクセル以上の画素数にて表示可能であり、このオリジナル画像で表示することで、より確実に画像の状態の点検や肖像権、公序良俗等の問題が生じないように点検することができる。
【００１７】
請求項４に記載の発明は、前記受発注管理者端末は、前記デザインに用いる画像と前記デザイン決定情報とを同時に表示可能であることを特徴とする請求項１乃至請求項３のいずれか１項に記載の受発注システムである。
【００１８】
この請求項４に記載の発明によれば、デザインに用いる画像とデザイン決定情報とを同時に表示することで、画像加工等のデザイン注文指示とを同時に見てより確実に、ユーザ（顧客）の希望を掴むことができる。
【００１９】
請求項５に記載の発明は、前記受発注管理者端末は、前記デザインに用いる画像の点検が可能であることを特徴とする請求項１乃至請求項４のいずれか１項に記載の受発注システムである。
【００２０】
この請求項５に記載の発明によれば、デザインに用いる画像の点検が可能であり、画像の状態の点検や肖像権、公序良俗等の問題が生じないようにすることができる。
【００２１】
請求項６に記載の発明は、前記受発注管理者端末は、前記デザインに用いる画像に識別標識を付加可能であることを特徴とする請求項１乃至請求項５のいずれか１項に記載の受発注システムである。
【００２２】
この請求項６に記載の発明によれば、デザインに用いる画像に識別標識を付加することで、デザイン画像の間違いを防止できる。
【００２３】
請求項７に記載の発明は、前記受発注管理者端末は、作成したデザインを校正可能であることを特徴とする請求項１乃至請求項６のいずれか１項に記載の受発注システムである。
【００２４】
この請求項７に記載の発明によれば、作成したデザインを校正することで、文字間違いの防止、デザイン品質の向上が可能である。
【００２５】
請求項８に記載の発明は、ユーザ端末からデザイン決定情報を入力し、デザインに用いる画像を配信してデザイン注文を行ない、受発注管理者端末では受発注サーバを介して前記デザイン注文の受付、前記デザイン注文に基づきデザイン作成作業の発注及び受発注管理を行なうと共に、前記デザインに用いる画像を表示可能であり、作業者端末では前記デザイン作成作業の発注に基づきデザイン作成作業を行なうことを特徴とする受発注方法である。
【００２６】
この請求項８に記載の発明によれば、ユーザ端末からデザイン決定情報を入力し、デザインに用いる画像を配信してデザイン注文を行なうと、受発注管理者端末では受発注サーバを介してデザイン注文の受付、デザイン注文に基づきデザイン作成作業の発注及び受発注管理を行なうと共に、デザインに用いる画像を表示可能であり、このデザインに用いる画像を表示することで、デザイン注文を受けると同時に、デザインに使用する画像の状況を事前に見ることができ、デザイン作成作業の完成までの工数などの適切な判断ができ、ユーザ（顧客）に正確なコストの見積もりを提供することができる。また、デザインに使用する画像と画像加工等のデザイン注文指示とを同時に見ることで、ユーザ（顧客）の希望を掴むことができる。また、デザイナー等が作成したデザインの仕上がりがユーザ（顧客）のデザイン注文の希望通りなっているか確認することもでき、さらにユーザ（顧客）から配信されるデザインに使用する写真画像の状態の点検や肖像権、公序良俗等の問題が生じないように点検することもできる。
【００２７】
請求項９に記載の発明は、前記デザインに用いる画像をサムネイル画像で一覧表示することを特徴とする請求項８に記載の受発注方法である。
【００２８】
この請求項９に記載の発明によれば、デザインに用いる画像をサムネイル画像で一覧表示することで、同時に多数の画像を見て確認することができる。
【００２９】
請求項１０に記載の発明は、前記デザインに用いる画像をオリジナル画像で表示することを特徴とする請求項８に記載の受発注方法である。
【００３０】
この請求項１０に記載の発明によれば、デザインに用いる画像をオリジナル画像で表示することで、より確実に画像の状態の点検や肖像権、公序良俗等の問題が生じないように点検することができる。
【００３１】
請求項１１に記載の発明は、前記デザインに用いる画像とデザイン決定情報とを同時に表示することを特徴とする請求項８乃至請求項１０のいずれか１項に記載の受発注方法である。
【００３２】
この請求項１１に記載の発明によれば、デザインに用いる画像とデザイン決定情報とを同時に表示することで、画像加工等のデザイン注文指示とを同時に見てより確実に、ユーザ（顧客）の希望を掴むことができる。
【００３３】
請求項１２に記載の発明は、前記デザインに用いる画像の点検を行なうことを特徴とする請求項８乃至請求項１１のいずれか１項に記載の受発注方法である。
【００３４】
この請求項１２に記載の発明によれば、デザインに用いる画像の点検が可能であり、画像の状態の点検や肖像権、公序良俗等の問題が生じないようにすることができる。
【００３５】
請求項１３に記載の発明は、前記デザインに用いる画像に識別標識を付加することを特徴とする請求項８乃至請求項１２のいずれか１項に記載の受発注方法である。
【００３６】
この請求項１３に記載の発明によれば、デザインに用いる画像に識別標識を付加することで、デザイン画像の間違いを防止できる。
【００３７】
請求項１４に記載の発明は、前記デザインの修正を行なうことを特徴とする請求項８乃至請求項１３のいずれか１項に記載の受発注方法である。
【００３８】
この請求項１４に記載の発明によれば、作成したデザインを校正することで、文字間違いの防止、デザイン品質の向上が可能である。
【００３９】
【発明の実施の形態】
以下、この発明の受発注システム及び受発注方法の実施の形態を図面に基づいて説明するが、この発明は、この実施の形態に限定されない。
【００４０】
図１は受発注システムを示す図である。図１において、ネットワーク１に、受発注サーバ２、ユーザ端末３、作業者端末４、受発注管理者端末５が接続され、それぞれネットワーク１を介して通信可能となっている。
【００４１】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００４２】
受発注サーバ２は、ネットワーク１を介し、デザイン注文の受付、デザイン注文に基づきデザイン作成作業の発注及び受発注管理を行なうと共に、デザインに用いる画像閲覧、画像保管、顧客情報管理など、ネットワーク画像サービスを提供可能な機能を有する。
【００４３】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。デジタルカメラを備える携帯電話では、デジタルカメラの撮像で画像の取り込みを行なうことができ、デジタルカメラを備えない携帯電話では、他の電子機器からの通信により画像を受信して画像の取り込みを行なうことができる。
【００４４】
このユーザ端末３では、デザイン決定情報を入力し、デザインに用いる画像を配信してデザイン注文を行なう。デザイン決定情報として、例えばデザインのレイアウトの特定番号、コメント内容、デザイン面に記載する個人情報等である。例えばデザインのレイアウトのパターンが予め複数種類準備されており、特定番号によって特定するが、ユーザ（顧客）が自由にレイアウトするようにしてもよい。また、デザインに用いる画像として、写真画像、イラスト画像等であり、１枚でも、複数枚でも良い。
【００４５】
受発注管理者端末５は、受発注サーバ２を介してデザイン注文の受付、デザイン注文に基づきデザイン作成作業の発注及び受発注管理を行なうと共に、デザインに用いる画像を表示可能である。
【００４６】
作業者端末４は、店舗等に配置され、画像編集画面上でのデザイン作成作業の発注に基づきデザイン作成作業を行なう。店舗とは、デザイン作成作業の画像加工や画像修正、例えば画像から背景等の不要物の除去、赤目修正等ができる画像形成装置を備えた、例えばラボのようなものを言うがこれに限られない。
【００４７】
次に、図２及び図３に基づいて受発注方法を説明する。図２は受発注方法を実行するフローチャート、図３はユーザ端末側、受発注管理者端末側、作業者端末側、受発注サーバ側間の情報の授受を示す図である。
【００４８】
ユーザは、ユーザ端末３のブラウザソフトを立ち上げ（Ｓ１）、デザイン注文サイトにアクセスする（Ｓ２）。ユーザ端末３からユーザＩＤを入力して受発注サーバ２へ送り、受発注サーバ２では予め登録されたユーザＩＤと照合して個人のユーザ認証を行なう（Ｓ３）。
【００４９】
ユーザ端末３では、受発注サーバ２からのユーザ認証を受け取り、デザイン注文情報の入力し、デザイン決定情報を入力し、デザインに用いる画像の配信を行なう（Ｓ４）。
【００５０】
このデザイン注文が予め規定されたレイアウト等でないユーザ（顧客）が自由にレイアウトした特殊注文であるか否かの判断を行ない（Ｓ５）、特殊注文の場合は、受発注管理者は、受発注管理者端末５から受発注サーバ２を介して特殊注文見積もりを行ない（Ｓ６）、規格のデザインのレイアウトの場合は、通常注文見積もりが行なわれる（Ｓ７）。
【００５１】
ユーザ端末３では、見積もりとデザイン注文の確認を行なう表示画面を閲覧可能であり（Ｓ８）、見積金額とデザイン注文の確認を行なう（Ｓ９）。問題がない場合はデザイン注文すると（Ｓ１０）、受発注管理者端末５から受発注サーバ２を介して注文確認メールが配信される。
【００５２】
受発注管理者端末５では、受発注サーバ２を介してデザイン注文の受付及び受発注管理を行い、デザイン作成作業の振り分けを行なわない場合は（Ｓ１１）、作業者端末４へ注文受付メールを送る。作業者が作業者端末４から作業者画面へアクセスすることでデザイン注文に基づきデザイン作成作業の発注を行なう（Ｓ１２）。
【００５３】
作業者端末４から作業者画面上で、作業者は画像編集画面上でのデザイン注文に基づきデザイン作成作業を行なう（Ｓ１３）。
【００５４】
デザイン作成作業の振り分けを行なう場合は、デザイン注文で例えば、特殊注文、通常注文別に振り分け、あるいはデザインに用いる画像の不要物の除去、赤目修正等の画像加工の別に切り分けてデザイン作成作業の発注を行ない（Ｓ１４）。作業者端末４から作業者画面上で、作業者は画像編集画面上でのデザイン注文に基づきデザイン作成作業を行なう（Ｓ１５）。
【００５５】
デザイン作成作業が終了すると、作業者端末４から作成したデザイン画像を受発注サーバ２へ送信し、受発注管理者端末５の合成画面で切り分け画像を合成する（Ｓ１６）。
【００５６】
受発注管理者端末５では、作成されたデザイン画像の閲覧が可能であり（Ｓ１７）、デザイナー等の作業者が作成したデザインの仕上がりがユーザ（顧客）のデザイン注文の希望通りなっているか点検し、問題がある場合は校正する（Ｓ１８）。点検、校正が終了すると（Ｓ１９）、受発注管理者端末５から受発注サーバ２を介してデザイン作成終了確認メールがユーザ端末３へ配信される。ユーザ端末３では、作成されたデザイン画像を確認してプリント注文を行い、次工程へ移行して終了する（Ｓ２０）。ここで、次の工程とは、▲１▼ユーザ（顧客）からのプリント注文の受付、▲２▼プリント注文によってプリントを行ないユーザへ送付することである。
【００５７】
次に、図４乃至図８に基づいて、ユーザ端末３で行なうデザイン注文の実施の形態について説明する。
【００５８】
図４はデザイン選択画面を示し、このデザイン選択画面２１で複数の規格のデザインレイアウトから希望するデザイン画像２１ａをクリックして特定する。例えば、特定番号ＨＷ−０２５のデザインのレイアウトをクリックする。
【００５９】
図５は注文情報入力画面を示し、この注文情報入力画面２２でカラーの欄２２ａ、タイトルとフォントの欄２２ｂ、コメントの欄２２ｃ、個人情報の欄２２ｄからカラー、タイトルとフォント、コメントの特定をクリックで行ない、あるいは自由にコメントを入力し、個人情報を入力する。
【００６０】
図６はデザイン決定画面を示し、このデザイン決定画面２６では、図４のデザイン選択画面及び図５の注文情報入力画面で行なったデザイン決定情報の入力によるデザインが表示される。
【００６１】
図７は画像のアップロード画面を示し、この画像のアップロード画面３０で参照３０ａをクリックして画像のあるフォルダ３０ｂを選択し、画像を指定して画像のアップロードを行なう。
【００６２】
図８はデザインの見積もりと確認画面を示し、このデザインの見積もりと確認画面４０では、作成するデザインの画像４１、作成するデザインに用いる画像４２、作成するデザインに用いる文字情報４３、見積もり料金４４、デザイン完成予定日４５が表示される。
【００６３】
ユーザ（顧客）は、このデザインの見積もりと確認画面４０を見て確認し、希望通りで問題がなければデザイン注文を行なう。
【００６４】
次に、図９乃至図１６に基づいて、受発注管理者端末５で行なうデザインに用いる画像を表示の実施の形態について説明する。
【００６５】
図９はデザイン作成作業の発注及び受発注管理画面のメニュー画面を示し、このメニュー画面５０では、デザイン進行状況確認欄５０ａ、振り分け欄５０ｂがある。この振り分け欄５０ｂをクリックすると、図１０のデザイン振り分け画面５１に切り替わる。このデザイン振り分け画面５１の詳細欄５１ａをクリックすると、図１１の注文詳細情報画面５２に切り替わる。注文詳細情報画面５２のデザイン情報（画像）の欄５２ａをクリックすると、図１２のデザイン情報画面５３が表示される。
【００６６】
このデザイン情報画面５３は、デザイン情報（文字）の欄５３ａ、注文書の欄５３ｂ、顧客持ち込み画像の欄５３ｃが表示される。
【００６７】
この顧客持ち込み画像の欄５３ｃには、デザインに用いる画像５３ｄが表示される。このように、デザインに用いる画像５３ｄを表示することで、デザイン注文を受けると同時に、デザインに使用する画像５３ｄの状況を事前に見ることができ、デザイン作成作業の完成までの工数などの適切な判断ができ、ユーザ（顧客）に正確なコストの見積もりを提供することができる。
【００６８】
また、デザインに使用する画像５３ｄとデザイン情報（文字）の欄５３ａをクリックして画像加工等のデザイン注文指示とを同時に見ることで、ユーザ（顧客）の希望を掴むことができる。
【００６９】
また、受発注管理者端末５は、図１３の受発注管理者画面を有し、この受発注管理者画面６０では、注文番号切替ボタン６０ａ、注文情報ボタン６０ｂ、写真原稿ボタン６０ｃ、写真原稿点検ボタン６０ｄ、成果物ボタン６０ｅ、校正ボタン６０ｆ、メールボタン６０ｇ及び表示画面６０ｈが設けられている。
【００７０】
注文番号切替ボタン６０ａの切替アップまたはダウンで注文番号の切替を行なう。注文情報ボタン６０ｂの操作で注文番号で特定されたデザイン注文の情報が表示画面６０ｈに表示される。また、写真原稿ボタン６０ｃの操作で表示画面６０ｈにデザインに用いる画像が表示される。
【００７１】
写真原稿点検ボタン６０ｄの操作で、ユーザ（顧客）から配信されるデザインに使用する写真画像の状態の点検や肖像権、公序良俗等の問題が生じないように点検することもできる。
【００７２】
このデザインに使用する写真画像の状態の点検は、図１４に示すように、所定のデザインに使用する画像５３ｄをクリックすることで画素数を表示してデザインに適する画素数を有するか否か確認する。この画素数の確認は、判別基準画素数を表示して目視で行なってもよく、あるいは確認ソフトで自動的に行ない、その判断結果を表示するようにしてもよい。
【００７３】
また、肖像権の点検は、目視によって行なってもよく、あるいは顔判定ソフトで行なってもよい。
【００７４】
公序良俗の点検は、猥褻画像、差別言葉等によって行なう。
【００７５】
これらの点検結果は、図１５に示すように点検画面５４に表示される。この点検は、画素数、肖像権、公序良俗の順に行なうことが効率的である。
【００７６】
また、受発注管理者端末５では、図１６に示すように、デザインに用いる画像５３ｄに識別標識５５を付加可能である。この識別標識５５は、例えば、デザイン作成に邪魔にならない位置にユニークな印や透かしなどで行なうことができ、デザインに用いる画像５３ｄに識別標識５５を付加することで、後のデザイン作成工程等で識別標識５５の同一を点検することでデザイン画像の間違いを防止できる。この識別標識５５の同一の点検は、識別標識５５の有無、あるいは識別標識５５が同一か否かによって行なう。
【００７７】
この受発注管理者端末５では、デザインに用いる画像５３ｄをサムネイル画像で一覧表示可能であり、サムネイル画像で一覧表示することで、同時に多数の画像を見て確認することができる。
【００７８】
また、デザインに用いる画像５３ｄをオリジナル画像で表示可能であり、オリジナル画像で表示することで、より確実に画像の状態の点検や肖像権、公序良俗等の問題が生じないように点検することができる。
【００７９】
成果物ボタン６０ｅは、デザイン注文の発注前はブラックになっており、デザイン注文の発注が行なわれると、成果物ボタン６０ｅが表示される。この成果物ボタン６０ｅの操作で作成したデザインを表示画面６０ｈに表示して確認することができる。
【００８０】
校正ボタン６０ｆの操作で表示画面６０ｈに表示されたデザイナー等が作成したデザインの仕上がりがユーザ（顧客）のデザイン注文の希望通りなっているか確認して文字間違いや画像修正等の校正可能であり、作成したデザインを校正することで、文字間違いの防止、デザイン品質の向上が可能である。
【００８１】
メールボタン６０ｇの操作でメール画面を開き、デザイン注文を受注するとデザイナー等の作業者へメールを行ない、デザイン注文を受注することができないとユーザへメールを送る。また、メールボタン６０ｇの操作でデザイン作成が完了すると、ユーザへデザイン作成完了のメールを送る。
【００８２】
【発明の効果】
前記したように、請求項１及び請求項８に記載の発明では、ユーザ端末からデザイン決定情報を入力し、デザインに用いる画像を配信してデザイン注文を行なうと、受発注管理者端末では受発注サーバを介してデザイン注文の受付、デザイン注文に基づきデザイン作成作業の発注及び受発注管理を行なうと共に、デザインに用いる画像を表示可能であり、このデザインに用いる画像を表示することで、デザイン注文を受けると同時に、デザインに使用する画像の状況を事前に見ることができ、デザイン作成作業の完成までの工数などの適切な判断ができ、ユーザ（顧客）に正確なコストの見積もりを提供することができる。また、デザインに使用する画像と画像加工等のデザイン注文指示とを同時に見ることで、ユーザ（顧客）の希望を掴むことができる。また、デザイナー等が作成したデザインの仕上がりがユーザ（顧客）のデザイン注文の希望通りなっているか確認することもでき、さらにユーザ（顧客）から配信されるデザインに使用する写真画像の状態の点検や肖像権、公序良俗等の問題が生じないように点検することもできる。
【００８３】
請求項２及び請求項９に記載の発明では、デザインに用いる画像をサムネイル画像で一覧表示することで、同時に多数の画像を見て確認することができる。
【００８４】
請求項３及び請求項１０に記載の発明では、デザインに用いる画像をオリジナル画像で表示することで、より確実に画像の状態の点検や肖像権、公序良俗等の問題が生じないように点検することができる。
【００８５】
請求項４及び請求項１１に記載の発明では、デザインに用いる画像とデザイン決定情報とを同時に表示することで、画像加工等のデザイン注文指示とを同時に見てより確実に、ユーザ（顧客）の希望を掴むことができる。
【００８６】
請求項５及び請求項１２に記載の発明では、デザインに用いる画像の点検が可能であり、画像の状態の点検や肖像権、公序良俗等の問題が生じないようにすることができる。
【００８７】
請求項６及び請求項１３に記載の発明では、デザインに用いる画像に識別標識を付加することで、デザイン画像の間違いを防止できる。
【００８８】
請求項７及び請求項１４に記載の発明では、作成したデザインを校正することで、文字間違いの防止、デザイン品質の向上が可能である。
【図面の簡単な説明】
【図１】受発注システムを示す図である。
【図２】受発注方法を実行するフローチャートである。
【図３】ユーザ端末側、受発注管理者端末側、作業者端末側、受発注サーバ側間の情報の授受を示す図である。
【図４】ユーザ端末のデザイン選択画面を示す図である。
【図５】ユーザ端末の注文情報入力画面を示す図である。
【図６】ユーザ端末のデザイン決定画面を示す図である。
【図７】ユーザ端末の画像のアップロード画面を示す図である。
【図８】ユーザ端末のデザインの見積もりと確認画面を示す図である。
【図９】受発注管理者端末のデザイン作成作業の発注及び受発注管理画面を示す図である。
【図１０】受発注管理者端末のデザイン振り分け画面を示す図である。
【図１１】受発注管理者端末の注文詳細情報画面を示す図である。
【図１２】受発注管理者端末の注文詳細情報画面を示す図である。
【図１３】受発注管理者端末の受発注管理者画面を示す図である。
【図１４】受発注管理者端末のデザインに使用する写真画像の状態の点検を示す図である。
【図１５】受発注管理者端末のデザインに使用する写真画像の点検画面を示す図である。
【図１６】受発注管理者端末のデザインに用いる画像の識別標識付加を示す図である。
【符号の説明】
１  ネットワーク
２  受発注サーバ
３  ユーザ端末
４  作業者端末
５  受発注管理者端末
２１  デザイン選択画面
２２  注文情報入力画面
２６  デザイン決定画面
３０  画像のアップロード画面
４０  デザインの見積もりと確認画面
５０  メニュー画面
５１  デザイン振り分け画面
５２  注文詳細情報画面
５３  デザイン情報画面
５３ｄ  デザインに使用する画像
５４  点検画面
６０  デザイン確認校正画面
【図１】
2004326389.tif 000003
【図２】
2004326389.tif 000004
【図３】
2004326389.tif 000005
【図４】
2004326389.tif 000006
【図５】
2004326389.tif 000007
【図６】
2004326389.tif 000008
【図７】
2004326389.tif 000009
【図８】
2004326389.tif 000010
【図９】
2004326389.tif 000011
【図１０】
2004326389.tif 000012
【図１１】
2004326389.tif 000013
【図１２】
2004326389.tif 000014
【図１３】
2004326389.tif 000015
【図１４】
2004326389.tif 000016
【図１５】
2004326389.tif 000017
【図１６】
2004326389.tif 000018